(57)【特許請求の範囲】
【請求項１】
ベースと、
上記ベースに組み込まれ音声を電気信号に変換するマイクロホンユニットと、
上記マイクロホンユニットの出力信号をオン・オフさせるメンブレン方式の感圧スイッチと、を備え、
上記感圧スイッチと上記ベースとの間には、緩衝材が介在していて、
上記緩衝材は、上記感圧スイッチを周囲から支持していて、
上記感圧スイッチは、上記ベースから上記緩衝材によって物理的に隔離され、
上記感圧スイッチの底部には、硬質の素材からなるスイッチ支持体が設けられている、
ことを特徴とするバウンダリーマイクロホン。
【請求項２】
上記感圧スイッチは、上記バウンダリーマイクロホンの前方に配置されている請求項１に記載のバウンダリーマイクロホン。
【請求項３】
上記感圧スイッチは、上記ベースの突部に形成されている孔の内側に配置されている請求項１または２に記載のバウンダリーマイクロホン。
【請求項４】
上記ベースの底部には、柔軟な素材からなる支持体が配置されている請求項１乃至３のいずれかに記載のバウンダリーマイクロホン。
【発明の詳細な説明】
【技術分野】
【０００１】
本発明は、マイクロホンユニットの出力信号をオン・オフする感圧スイッチを有してなる、主に卓上に設置して使用されるバウンダリーマイクロホンに関するものである。
【背景技術】
【０００２】
マイクロホンユニットの出力信号をオン・オフする感圧スイッチを有し、卓上に設置されて使用されるバウンダリーマイクロホンがある。バウンダリーマイクロホンは、ＴＶスタジオや会議場などにおいて机や床面に設置して使用されることからサーフェイスマウントマイクロホン（面上収音式マイクロホン）とも呼ばれている。例えば、特許文献１記載の発明のように、バウンダリーマイクロホンは主に卓上で使用されるため、その存在が目立たないように、高さを抑えた扁平状のケースにマイクロホンユニットおよびこれに必要な回路が組み込まれることが多い。
【０００３】
図３に示すように、バウンダリーマイクロホン１１の外周は、扁平状に形成され、上面側が開放されている金属製のベース１０と、多数の開口（音波導入孔）を有する金属板（例えば、パンチングプレート）からなりベース１０の上面を覆うマイクカバー１５と、ベース１０の底部に配置された柔軟な素材からなる支持体１２により構成される。その内部には、マイクロホンユニット１３が収納されている。通常、マイクロホンユニット１３には、コンデンサマイクロホンユニットが用いられる。バウンダリーマイクロホン１１は、机１４の上に設置されている。
【０００４】
図３、図４に示すように、バウンダリーマイクロホン１１には、マイクロホンユニット１３の出力信号のオン・オフを使用者に制御させるため、その本体の前方などにメンブレン方式、静電容量式、あるいは機械式など、適宜の方式のプッシュスイッチからなるスイッチ部１を有するものがある。プッシュスイッチの中でも、スイッチにクリック感があるものを用いると、動作時のクリック感が振動となってマイクロホン本体を振動させ振動雑音を発生させる。したがって、バウンダリーマイクロホン１１には、出力信号をオン・オフするスイッチとして、マイクロホンの動作時に音声信号に動作音が入りにくいメンブレン方式が多く用いられている。
【０００５】
図４で示すように、メンブレン方式の感圧スイッチ１は、通常、使用者の押圧によって撓むメンブレン５と、電気的な導通を検出するためのパターンが形成された回路基板３とで構成されており、メンブレン５を押して上記パターンに接触させることにより、感圧スイッチ１をオンさせ、押圧を解除することによりオフさせるようになっている。しかしながら、机上で書類を動かすなどの動作をするとそうした振動がバウンダリーマイクロホン１１本体を振動させて雑音を発生させることがある。そこで、バウンダリーマイクロホン１１の下部全面に柔らかい素材からなる支持体１２を取り付けて振動雑音を防止している。
【０００６】
しかしながら、支持体１２が柔らかいと使用者が感圧スイッチ１を押すときにバウンダリーマイクロホン本体１１が沈み込むため、感圧スイッチ１が上手く動作しないことがある。感圧スイッチ１が上手く動作しないため、使用者は、感圧スイッチ１が押しにくいと感じ、感圧スイッチ１を動作させようとして必要以上に強い力で押し、あるいはボールペンや爪等で圧力を集中的にかけようとする。そのため、感圧スイッチ１を破損させることがある。また、図３、図４においては、感圧スイッチ１がベース１０の上に設けられているため物理的に接合しており、使用者が感圧スイッチ１を入れるときに、バウンダリーマイクロホン本体１１の揺れから起こる振動雑音を抑えることにも限界がある。したがって、スイッチを操作することによって生じる機械的な振動がマイクロホンユニット１３に伝わり、マイクロホンの出力信号に雑音が混入する難点があった。
【先行技術文献】
【特許文献】
【０００７】
【特許文献１】特開２００８−２８８９３３号公報
【発明の概要】
【発明が解決しようとする課題】
【０００８】
本発明は、使用者が感圧スイッチを入れるときにバウンダリーマイクロホン本体の揺れから起こる振動雑音を押さえ、使用者が操作しやすく、使用者が感圧スイッチを破損させにくいように構成を工夫したバウンダリーマイクロホンを提供することを目的とする。
【課題を解決するための手段】
【０００９】
本発明に係るバウンダリーマイクロホンは、ベースと、ベースに組み込まれ音声を電気信号に変換するマイクロホンユニットと、マイクロホンユニットの出力信号をオン・オフさせるメンブレン方式の感圧スイッチと、を備え、感圧スイッチとベースとの間には、緩衝材が介在していて、緩衝材は、感圧スイッチを周囲から支持していて、感圧スイッチは、ベースから緩衝材によって物理的に隔離され、感圧スイッチの底部には、硬質の素材からなるスイッチ支持体が設けられていることを最も主要な特徴とする。
【発明の効果】
【００１０】
本発明によれば、感圧スイッチを押したときの振動が伝わらないように感圧スイッチがベースから物理的に隔離されていることで、使用者が感圧スイッチをいれるときにバウンダリーマイクロホン本体の揺れから起こる振動雑音を押さえることができ、感圧スイッチの底部に硬質のスイッチ支持体が設けられていることで、バウンダリーマイクロホンをオン・オフするときに使用者が感圧スイッチを押しやすくなり、操作しやすく、感圧スイッチを破損させにくいバウンダリーマイクロホンを得ることができる。
【図面の簡単な説明】
【００１１】
【図１】本発明にかかるバウンダリーマイクロホンの実施例を示す断面図である。
【図２】上記バウンダリーマイクロホンの感圧スイッチ部分を拡大して示す断面図である。
【図３】従来のバウンダリーマイクロホンの例を示す断面図である。
【図４】上記バウンダリーマイクロホンの感圧スイッチ部分を拡大して示す断面図である。
【発明を実施するための形態】
【００１２】
以下、本発明に係るバウンダリーマイクロホンの実施例について図面を参照しながら説明する。
図１に示すバウンダリーマイクロホン１１は、主要な構成部として、上面側が開放された金属製で扁平状のベース１０と、多数の開口（音波導入孔）を有しベース１０の上面を覆うようにしてベース１０に取り付けられている金属製のマイクカバー１５と、感圧スイッチ１と、感圧スイッチ１を支持するスイッチ支持体２と、雄ねじ１７と、バウンダリーマイクロホン１１の回路基板１８と、マイクロホンユニット１３とを備えている。ベース１０の後部（図１において右端部）には、マイクコード２１と、コードブッシュ２０が配置されている。ベース１０の底部全面には、柔軟な素材からなる支持体１２が配置されている。バウンダリーマイクロホン１１は、机１４の上に設置されている。なお、支持体１２は、柔軟な素材でなくともよいが、バウンダリーマイクロホン１１全体の振動を吸収するために柔軟な素材であることが好ましい。バウンダリーマイクロホン１１の支持体１２は、振動を吸収する必要がある為、ゴムなどを使用するとよい。
【００１３】
ベース１０とマイクカバー１５とにより形成されるバウンダリーマイクロホン１１の空間内に、バウンダリーマイクロホン１１の回路基板１８とマイクロホンユニット１３とが収納されている。回路基板１８は、ねじ１９でバウンダリーマイクロホン１１内に固定されている。なお、マイクロホンユニット１３は回路基板１８に実装された状態で収納されてもよいし、回路基板１８とは別にして収納されてもよい。また、回路基板１８にはマイクコード２１の一端が接続され、マイクコード２１の他端側はコードブッシュ２０を介してベース１０から引き出されている。マイクカバー１５は、取り外しできるようにベース１０にねじ止めされている。図１では、見栄え上（意匠上）の観点から、１つの雄ねじ１７とベース１０側に突設された１つのボスによる１点止めがされているが、多点止めとしてもよい。また、場合によっては、ネジ止め以外の方法（例えば嵌合手段など）でマイクカバー１５をベース１０に固定してもよい。
【００１４】
ベース１０は、その前方の底面から前方に突き出る突部１０Ａを有している。感圧スイッチ１は、突部１０Ａを垂直に貫くように設けられた孔の内側に配置されている。感圧スイッチ１は、図３、図４の従来例と違い、ベース１０の上部ではなく、突部１０Ａに設けられた孔の内側に配置されることで、その周囲がベース１０から切り離されている。すなわち感圧スイッチ１は物理的にベース１０から隔離されて配置されている。突部１０Ａが突き出る方向は適宜選択でき、バウンダリーマイクロホン１１の横側でもよく、後方でもよい。それに伴い感圧スイッチ１の配置される平面上の位置も適宜選択でき、横側でもよく後方でもよい。感圧スイッチ１とベース１０の間には、緩衝材４が介在していて、感圧スイッチ１をその周囲から支持している。緩衝材４としては適宜の素材を選択でき、例えばゴムなどが挙げられる。緩衝材４はなくてもよいが、ベース１０で感圧スイッチ１を支持するために緩衝材４が有ると好ましい。
【００１５】
メンブレン５と、回路基板３からなる感圧スイッチ１の底部には、硬質の素材からなるスイッチ支持体２が設けられている。スイッチ支持体２は、ベース１０の孔と平面位置が一致するように設けられた支持体１２を垂直に貫く孔の内側に配置されている。また、スイッチ支持体２は、ベース１０の底部にあり水平位置がほぼ同じである支持体１２からその周囲が切り離されている。なお感圧スイッチ１の配置される位置としては、物理的にベース１０から隔離されて感圧スイッチ１の振動がバウンダリーマイクロホン１１本体に伝わらないように、あるいは、振動がバウンダリーマイクロホン１１本体に伝わっても、振動が減衰するように配置されていればよく、ベース１０に設けられた上述の孔の中でなくともよい。例えば、突部１０Ａの先端に切り欠きをつくり、その空いた平面に感圧スイッチ１を設置して、感圧スイッチ１の底面にスイッチ支持体２を設置してもよい。使用者が感圧スイッチ１を押しやすい位置として、突部１０Ａを前方に設け、感圧スイッチ１をベース１０に設けられた孔の内側に配置すると好ましい。また、スイッチ支持体２の硬質の素材としては適宜のものが選択でき、例えばプラスチックなどが挙げられる。
【００１６】
このように、感圧スイッチ１がベース１０から物理的に隔離されて、感圧スイッチ１の振動がバウンダリーマイクロホン１１本体に伝わらないように構成されていることで、使用者が感圧スイッチ１を入れるときにバウンダリーマイクロホン１１本体の揺れから起こる振動雑音を押さえることができ、感圧スイッチ１の底部に硬質の素材からなるスイッチ支持体２が設けられていることで、バウンダリーマイクロホン１１をオン・オフするときに使用者が感圧スイッチ１を押しやすくなり、操作しやすく、感圧スイッチ１を破損させにくい構成をもつバウンダリーマイクロホン１１を得ることができる。
【００１７】
ベース１０と、マイクカバー１５の平面形状は、例えば略四角形状とし、両者で構成されたバウンダリーマイクロホン本体の平面形状も略四角形状にすることができる。ただし、ベース１０の平面形状としては、適宜のものを選択でき、四角形状でもよいし三角形状でもよい。ベース１０の平面形状が三角形状である場合、マイクカバー１５の平面形状も三角形状に構成すると好ましい。
【００１８】
通常、ベース１０は亜鉛ダイカストなどの鋳造品により形成されるが、これ以外に金属のプレス成形品が用いられてもよい。また、マイクカバー１５として鉄板などに多数の孔を形成したパンチングプレート（多孔板）が一般に用いられるが、パンチングプレートに代えて金網状のものを用いてもよい。
【００１９】
通常バウンダリーマイクロホンの場合、マイクロホンユニット１３にはインピーダンス変換器を有するコンデンサマイクロホンユニットが用いられる。図示しないが、回路基板１８には、音質調整回路や音声出力回路などが設けられている。また、上述のように回路基板１８にはマイクコード２１の一端が接続され、マイクコード２１の他端側はコードブッシュ２０を介してベース１０から引き出されている。なお、ワイヤレスの場合には、マイクロホンケース１に送信手段としてアンテナが設けられ、あるいは光学式ワイヤレスの場合には、例えば発光ダイオードが設けられる。
【００２０】
次に、図２に示す感圧スイッチ１についてより具体的に説明する。図２において、感圧スイッチ１は、メンブレン５と、回路基板３によって構成されている。感圧スイッチ１の回路基板３は、そのパターン形成部がメンブレン５を向くようにスイッチ支持体２の上面に適宜の方法で貼り付けられている。感圧スイッチ１の回路基板３は、フレキシブルプリント基板からなり、図示しない銅箔で導通を検出するためのパターンが形成されている。このパターンは、例えば、一方の電極パターンと他方の電極パターンが交互に入り組んだ櫛歯状のパターンにするとよい。また、そのパターンがメンブレン５側を向くように形成されている。感圧スイッチ１の回路基板３のパターンとメンブレン５を接触させると、上記一方の電極パターンと他方の電極パターンが導通し、感圧スイッチ１をオンさせることができるように設計されている。メンブレン５と感圧スイッチ１の回路基板３の間には、周縁部に図示しないスペーサーを介在させ、偶然の接触による感圧スイッチ１の誤作動を防げる構造になっていてもよい。また、感圧スイッチ１は、さらに図示しない自己保持回路を備えていると、回路基板３が離れてもオンの状態が確保でき好ましい。
【００２１】
また、図１において、感圧スイッチ１の回路基板３と、バウンダリーマイクロホンの回路基板１８の間には、ベース１０と支持体１２の間を水平に通り、その後上方に伸びバウンダリーマイクロホン１１内部の空間まで連通するように設けられた空間１６が設けられている。フレキシブルプリント基板からなる感圧スイッチ１の回路基板３は、そのフレキシブルプリント基板を空間１６に通してバウンダリーマイクロホン１１の回路基板１８の上面まで伸ばし、バウンダリーマイクロホン１１の回路基板１８と相互に電気的に接続されている。したがって感圧スイッチ１のオン・オフ動作をバウンダリーマイクロホン１１本体に伝えることができる。なお、感圧スイッチ１とバウンダリーマイクロホン１１との接続は、上述のものに限らず適宜のものが選択できる。
【産業上の利用可能性】
【００２２】
以上、本発明の実施形態の一例について説明したが、本発明はこの例に限るものではない。例えば、本発明にかかるバウンダリーマイクロホンのスイッチ機構は、バウンダリーマイクロホンに限らず、卓上に用いられるスピーカー付きマイクロホンに利用してもよい。
【符号の説明】
【００２３】
１  感圧スイッチ
２  スイッチ支持体
３  回路基板
４  緩衝材
５  メンブレン
１０  ベース
１１  バウンダリーマイクロホン
１２  支持体
１３  マイクロホンユニット
１４  机
１５  マイクカバー
【図１】
0005534822.tif 000002
【図２】
0005534822.tif 000003
【図３】
0005534822.tif 000004
【図４】
0005534822.tif 000005